(57)【要約】【課題】種々の外部接続機器を接続して利用することのできる撮像装置を提供する。【解決手段】第１の外部接続装置及び第２の外部接続装置を選択的に接続可能なアクセサリーシューと、アクセサリーシューを介して第１の外部接続装置及び第２の外部接続装置を制御する制御部とを備える撮像装置が提供される。アクセサリーシューは、複数の信号端子を有する。制御部は、第１の外部接続装置が接続される際には、複数の信号端子のうちの少なくとも１つの信号端子を介して、第１の外部接続装置を制御し、第２の外部接続装置が接続される際には、複数の信号端子のうちの少なくとも１つの信号端子を介して、第２の外部接続装置を制御する。第１の外部接続装置が接続される際に用いられる信号端子のうちの少なくとも１つと、第２の外部接続装置が接続される際に用いられる信号端子のうちの少なくとも１つは共通している。【選択図】図３
2017122862.tif 000002
【特許請求の範囲】
【請求項１】
第１の外部接続装置及び第２の外部接続装置を選択的に接続可能なアクセサリーシューと、
前記アクセサリーシューを介して前記第１の外部接続装置及び前記第２の外部接続装置を制御する制御部とを備え、
前記アクセサリーシューは、複数の信号端子を有し、
前記制御部は、
前記第１の外部接続装置が接続される際には、前記複数の信号端子のうちの少なくとも１つの信号端子を介して、前記第１の外部接続装置を制御し、
前記第２の外部接続装置が接続される際には、前記複数の信号端子のうちの少なくとも１つの信号端子を介して、前記第２の外部接続装置を制御し、
前記第１の外部接続装置が接続される際に用いられる信号端子のうちの少なくとも１つと、前記第２の外部接続装置が接続される際に用いられる信号端子のうちの少なくとも１つは共通している、
撮像装置。
【請求項２】
前記第１の外部接続装置は、閃光装置であり、
前記第２の外部接続装置は、音声入力装置であり、
前記制御部は、制御通信部、音声通信部及び信号切替部とを含み、
前記複数の信号端子は、第１端子、第２端子、第３端子及び第４端子を含み、
前記信号切替部は、前記第２端子、前記第３端子及び前記第４端子を、前記制御通信部及び前記音声通信部のいずれか一方に切替えて接続する、
請求項１に記載の撮像装置。
【請求項３】
前記閃光装置が接続される際には、前記第１端子、前記第２端子、前記第３端子及び前記第４端子を介して、閃光制御のための通信を行い、
前記音声入力装置が接続される際には、前記第２端子、前記第３端子及び前記第４端子を介して、音声通信を行う、
請求項２に記載の撮像装置。
【発明の詳細な説明】
【技術分野】
【０００１】
本開示は、アクセサリーシューを備えた撮像装置に関する。
【背景技術】
【０００２】
特許文献１は、アクセサリーシューを備えた撮像装置を開示する。特許文献１に記載された撮像装置におけるアクセサリーシューは、ストロボ接続用電気接点と録音用外部マイクを接続する電気接点とを併有している。
【先行技術文献】
【特許文献】
【０００３】
【特許文献１】特開平１−１３５２７１号公報
【発明の概要】
【発明が解決しようとする課題】
【０００４】
本開示は、アクセサリーシューの端子数を増やすことなく、種々の外部接続機器を接続して利用することのできる撮像装置を提供する。
【課題を解決するための手段】
【０００５】
本開示における撮像装置は、第１の外部接続装置及び第２の外部接続装置を選択的に接続可能なアクセサリーシューと、アクセサリーシューを介して第１の外部接続装置及び第２の外部接続装置を制御する制御部とを備える。アクセサリーシューは、複数の信号端子を有する。制御部は、第１の外部接続装置が接続される際には、複数の信号端子のうちの少なくとも１つの信号端子を介して、第１の外部接続装置を制御し、第２の外部接続装置が接続される際には、複数の信号端子のうちの少なくとも１つの信号端子を介して、第２の外部接続装置を制御する。第１の外部接続装置が接続される際に用いられる信号端子のうちの少なくとも１つと、第２の外部接続装置が接続される際に用いられる信号端子のうちの少なくとも１つは共通している。
【発明の効果】
【０００６】
本開示における撮像装置は、アクセサリーシューの端子数を増やすことなく、種々の外部接続機器を接続して利用することができる。
【図面の簡単な説明】
【０００７】
【図１】実施の形態１の撮像装置を上方から見た斜視図
【図２】実施の形態１の音声入力装置を下方から見た斜視図
【図３】実施の形態１の撮像装置と音声入力装置とを接続した状態を示すブロック図
【図４】実施の形態１の撮像装置と閃光装置とを接続した状態を示すブロック図
【図５】実施の形態１の撮像装置の動作を示すフローチャート
【図６】音声データの異常を説明する図
【図７】実施の形態２の撮像装置と第１の外部接続装置とを接続した状態を示すブロック図
【図８】実施の形態２の撮像装置と第２の外部接続装置とを接続した状態を示すブロック図
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、添付図面および以下の説明は、当業者が本開示を十分に理解するために、提供されるのであって、これらにより特許請求の範囲に記載の主題を限定することは意図されていない。
【００１０】
以下、図１〜８を用いて、実施の形態を説明する。
【００１１】
図１は、実施の形態１の撮像装置１００を上方から見た斜視図である。図１に示すように、撮像装置１００は、シューレール１１１と、シュー端子１１３〜１１７とを含むホットシューを備えている。
【００１２】
図２は、実施の形態１の音声入力装置２００を下方から見た斜視図である。図２に示すように、音声入力装置２００は、シュー接続端子２０５〜２０９を備えている。音声入力装置２００は、撮像装置１００が備えるシューレール１１１によって撮像装置１００に固定される。
【００１３】
図３は、実施の形態１の撮像装置１００と音声入力装置２００とを接続した状態を示すブロック図である。図３に示すように、撮像装置１００は、シュー端子１１３〜１１７と、電源供給部１１０と、音声通信部１２０と、制御通信部１３０と、信号切替制御部１４０ａ・１４０ｂと、信号切替部１５０ａ〜１５０ｄとを備える。音声入力装置２００は、シュー接続端子２０５〜２０９と、電源制御部２１０と、音声通信部２２０と、制御通信部２３０と、信号切替制御部２４０と、信号切替部２５０ａ〜２５０ｃとを備える。
【００１４】
撮像装置１００の電源供給部１１０は、電源供給端子であるシュー端子１１４に接続されており、ホットシューを介して接続された音声入力装置２００に電源を供給する。
【００１５】
撮像装置１００の信号切替制御部１４０ａは、撮像装置１００の信号切替部１５０ａ〜１５０ｃの切替制御を行う。撮像装置１００の信号切替制御部１４０ｂは、撮像装置１００の信号切替部１５０ｄの切替制御を行う。
【００１６】
撮像装置１００の信号切替部１５０ａは、信号端子であるシュー端子１１５と接続されており、信号切替制御部１４０ａの切替制御によって、シュー端子１１５の接続先を、音声通信部１２０のＤＡＴＡ端子１２０ａ及び制御通信部１３０のＴＴＬ端子１３０ａのいずれか一方に切替える。
【００１７】
撮像装置１００の信号切替部１５０ｂは、信号端子であるシュー端子１１６と接続されており、信号切替制御部１４０ａの切替制御によって、シュー端子１１６の接続先を、音声通信部１２０のＷＣＬＫ端子１２０ｂ及び制御通信部１３０のＲＸＤ端子１３０ｂのいずれか一方に切替える。
【００１８】
撮像装置１００の信号切替部１５０ｃは、信号端子であるシュー端子１１７と接続されており、信号切替制御部１４０ａの切替制御によって、シュー端子１１７の接続先を、音声通信部１２０のＢＣＬＫ端子１２０ｃ及び制御通信部１３０のＴＸＤ端子１３０ｃのいずれか一方に切替える。
【００１９】
撮像装置１００の信号切替部１５０ｄは、サイリスタ１６０を介して信号端子であるシュー端子１１３と接続されており、信号切替制御部１４０ｂの切替制御によって、シュー端子１１３の接続先を、制御通信部１３０のＳＴＢ＿ＴＲＧ端子１３０ｄ及び信号切替制御部１４０ａのいずれか一方に切替える。
【００２０】
音声入力装置２００の電源制御部２１０は、シュー接続端子２０６に接続されており、撮像装置１００の電源供給部１１０から電源の供給を受ける。
【００２１】
音声入力装置２００の信号切替制御部２４０は、シュー接続端子２０５に接続されており、信号切替部２５０ａ〜２５０ｃの切替制御を行う。
【００２２】
音声入力装置２００の信号切替部２５０ａは、シュー接続端子２０７と接続されており、信号切替制御部２４０の切替制御によって、シュー接続端子２０７の接続先を、音声通信部２２０のＤＡＴＡ端子２２０ａ及び制御通信部２３０のＴＴＬ端子２３０ａのいずれか一方に切替える。
【００２３】
音声入力装置２００の信号切替部２５０ｂは、シュー接続端子２０８と接続されており、信号切替制御部２４０の切替制御によって、シュー接続端子２０８の接続先を、音声通信部２２０のＷＣＬＫ端子２２０ｂ及び制御通信部２３０のＴＸＤ端子２３０ｂのいずれか一方に切替える。
【００２４】
音声入力装置２００の信号切替部２５０ｃは、シュー接続端子２０９と接続されており、信号切替制御部２４０の切替制御によって、シュー接続端子２０９の接続先を、音声通信部２２０のＢＣＬＫ端子２２０ｃ及び制御通信部２３０のＲＸＤ端子２３０ｃのいずれか一方に切替える。
【００２５】
撮像装置１００に音声入力装置２００が装着されていない初期状態においては、撮像装置１００の信号切替制御部１４０ａ及び信号切替制御部１４０ｂは、共にＬレベルの信号を出力する。このとき、撮像装置１００において、音声通信部１２０と、制御通信部１３０と、信号切替制御部１４０ａと、信号切替部１５０ａ〜１５０ｄとの接続関係は、図３の実線で示すようになる。また、このとき、撮像装置１００の電源供給部１１０からの電源供給は、電流制限されている。
【００２６】
撮像装置１００に音声入力装置２００が装着されると、撮像装置１００のシュー端子１１３〜１１７と音声入力装置２００のシュー接続端子２０５〜２０９とがそれぞれ電気的に接続される。
【００２７】
撮像装置１００の電源供給部１１０から出力された電力は、シュー端子１１４及びシュー接続端子２０６を介して音声入力装置２００の電源制御部２１０に到達し、音声入力装置２００の制御通信部２３０を動作させる。
【００２８】
音声入力装置２００の信号切替制御部２４０は、シュー接続端子２０５、シュー端子１１３及びサイリスタ１６０を介して撮像装置１００の信号切替部１５０ｄに接続される。信号切替制御部２４０は、撮像装置１００の制御通信部１３０のＳＴＢ＿ＴＲＧ端子１３０ｄ及び信号切替制御部１４０ａの一方と同じ論理の信号を出力する。音声入力装置２００の信号切替制御部２４０がＬレベルの信号を出力するとき、音声入力装置２００の音声通信部２２０と、制御通信部２３０と、信号切替部２５０ａ〜２５０ｃとの接続関係は、図３の実線で示すようになる。
【００２９】
これにより、撮像装置１００の制御通信部１３０は、撮像装置１００のシュー端子１１５〜１１７及び音声入力装置２００のシュー接続端子２０７〜２０９を介して、音声入力装置２００の制御通信部２３０との通信が可能となる。
【００３０】
撮像装置１００と音声入力装置２００との間の相互の通信が可能になると、撮像装置１００から音声入力装置２００に対してデバイスＩＤを要求する問合せを行い、音声入力装置２００から撮像装置１００に対してデバイスＩＤを返信するネゴシエーションを行うことにより、撮像装置１００は、音声入力装置２００のデバイスＩＤを認識し、音声入力装置２００が接続されたと判断する。
【００３１】
撮像装置１００は、音声入力装置２００が接続されたと判断すると、電源供給部１１０の電流制限を解除して音声入力装置２００に電力を供給し、装置内の全てのデバイスを動作させる。
【００３２】
また、撮像装置１００の信号切替制御部１４０ａ及び信号切替制御部１４０ｂは、共にＨレベルの信号を出力する。これにより、撮像装置１００において、音声通信部１２０と、制御通信部１３０と、信号切替制御部１４０ａと、信号切替部１５０ａ〜１５０ｄとの接続関係は、図３の破線で示すようになる。音声入力装置２００の音声通信部２２０と、制御通信部２３０と、信号切替部２５０ａ〜２５０ｃとの接続関係も、図３の破線で示すようになる。
【００３３】
これにより、撮像装置１００の音声通信部１２０は、撮像装置１００のシュー端子１１５〜１１７及び音声入力装置２００のシュー接続端子２０７〜２０９を介して、音声入力装置２００の音声通信部２２０との通信が可能となる。
【００３４】
撮像装置１００から音声入力装置２００に対して通信を行う場合は、撮像装置１００の信号切替制御部１４０ａがＬレベルの信号を出力することで、撮像装置１００の制御通信部１３０と音声入力装置２００の制御通信部２３０が接続され、相互の通信が可能になる。
【００３５】
図４は、実施の形態１の撮像装置１００と閃光装置３００とを接続した状態を示すブロック図である。図４に示すように、閃光装置３００は、シュー接続端子３０５〜３０９と、電源制御部３１０と、制御通信部３３０とを備える。
【００３６】
閃光装置３００の制御は、撮像装置１００の制御通信部１３０によって行われる。閃光装置３００の制御通信部３３０は、撮像装置１００のシュー端子１１３〜１１７及び信号切替部１５０ａ〜１５０ｄを介して撮像装置１００の制御通信部１３０と接続されている。閃光装置３００の制御通信部３３０は、撮像装置１００の音声通信部１２０から電気的に隔離されている。
【００３７】
電気信号の外乱により、撮像装置１００の信号切替制御部１４０ａ及び信号切替制御部１４０ｂの誤制御を防ぐためには、信号切替制御部１４０ａ及び信号切替制御部１４０ｂが出力する信号線にプルアップ抵抗またはプルダウン抵抗を追加しておくのが良い。
【００３８】
なお、デジタル通信による外部接続装置認識の後に、閃光装置３００の制御を行っているため、撮像装置１００の信号切替制御部１４０ａ及び信号切替制御部１４０ｂにおける動作異常は極めて少ない。
【００３９】
図５は、実施の形態１の撮像装置１００の動作を示すフローチャートである。撮像装置１００に外部接続装置である音声入力装置２００または閃光装置３００が接続されると、図５に示すフローチャートに従って処理が開始される。
【００４０】
（ステップＳ５０１）撮像装置１００に、音声入力装置２００または閃光装置３００が装着されると、撮像装置１００の制御通信部１３０は、音声入力装置２００の制御通信部２３０または閃光装置３００の制御通信部３３０とネゴシエーションを行う。
【００４１】
（ステップＳ５０２）撮像装置１００の制御通信部１３０は、音声入力装置２００が装着されていると判断した場合（Ｙｅｓの場合）、ステップＳ５０３に進み、音声入力装置２００が装着されていると判断できなかった場合（Ｎｏの場合）、ステップＳ５０５に進む。
【００４２】
（ステップＳ５０３）撮像装置１００の音声通信部１２０は、音声入力装置２００の音声通信部２２０と接続される。
【００４３】
（ステップＳ５０４）撮像装置１００は、音声データに異常がないかどうかを判定し、音声データに異常がない場合（Ｙｅｓの場合）、音声通信を開始し、音声データに異常がある場合（Ｎｏの場合）、ステップＳ５０１に戻る。
【００４４】
（ステップＳ５０５）撮像装置１００の制御通信部１３０は、閃光装置３００が装着されていると判断した場合（Ｙｅｓの場合）、閃光動作を開始し、閃光装置３００が装着されていると判断できなかった場合（Ｎｏの場合）、外部接続装置が検出されなかったものとして処理を終了する。
【００４５】
図５のフローチャートにおけるステップＳ５０４に関連して、図６は、音声データの異常を説明する図である。
【００４６】
撮像装置１００の音声通信部１２０と音声入力装置２００の音声通信部２２０とが接続されているときに、音声入力装置２００が撮像装置１００から強制的に取り外されたなどの接続異常が生じた場合、撮像装置１００は接続異常を認識することができない。
【００４７】
そこで、実施の形態１においては、撮像装置１００の音声通信部１２０のＤＡＴＡ端子１２０ａをプルアップしておく構成を採用することができる。音声通信部１２０のＤＡＴＡ端子１２０ａをプルアップしておくと、音声入力装置２００が撮像装置１００から強制的に取り外された場合などの接続異常が生じた場合、図６に示すように、通常の音声入力ではありえない音声データとなる。撮像装置１００が、このような異常な音声データを検出することによって、音声入力装置２００の接続異常を認識することができる。図６において、（ａ）はデジタル波形、（ｂ）はアナログ波形である。
【００４８】
音声入力装置２００が撮像装置１００に接続された状態において、音声入力装置２００の接続異常が検出された場合には、撮像装置１００の信号切替制御部１４０ａがＬレベルの信号を出力することで、撮像装置１００の制御通信部１３０と音声入力装置２００の制御通信部２３０とを接続し、再度ネゴシエーションを行えばよい。
【００４９】
なお、上記の構成は接続異常を検出するための一例であって、音声入力装置２００の異常検出のために、専用の検出回路を追加してもよい。
【００５０】
図７は、実施の形態２の撮像装置１００と第１の外部接続装置２０１とを接続した状態を示すブロック図である。図８は、実施の形態２の撮像装置１００と第２の外部接続装置２０２とを接続した状態を示すブロック図である。
【００５１】
実施の形態２において撮像装置１００は、第１通信部１３１と、第２通信部１３２と、第３通信部１３３とを備える。第１の外部接続装置２０１は、第１通信部２３１と、第２通信部２３２とを備える。第２の外部接続装置２０２は、第１通信部２３１と、第３通信部２３３とを備える。
【００５２】
撮像装置１００の第１通信部１３１と、第１の外部接続装置２０１の第１通信部２３１と、第２の外部接続装置２０２の第１通信部２３１とは、同一の通信フォーマットを用いるように構成されている。
【００５３】
撮像装置１００の第２通信部１３２と、第１の外部接続装置２０１の第２通信部２３２とは、同一の通信フォーマットを用いるように構成されている。
【００５４】
撮像装置１００の第３通信部１３３と、第２の外部接続装置２０２の第３通信部２３３とは、同一の通信フォーマットを用いるように構成されている。
【００５５】
信号切替部１５０ａ〜１５０ｃは１入力３出力または３入力１出力の素子で構成されており、信号切替制御部１４０ａ１と信号切替制御部１４０ａ２の２ビットで制御することで通信フォーマットが異なる３種の外部接続装置を利用することができる。
【００５６】
撮像装置１００の第１通信部１３１と、第１の外部接続装置２０１の第１通信部２３１とを接続する場合には、信号切替制御部１４０ａ１はＬレベル、信号切替制御部１４０ａ２は、Ｌレベルの信号を出力する。
【００５７】
撮像装置１００の第２通信部１３２と、第１の外部接続装置２０１の第２通信部２３２とを接続する場合には、信号切替制御部１４０ａ１はＨレベル、信号切替制御部１４０ａ２は、Ｌレベルの信号を出力する。
【００５８】
撮像装置１００の第１通信部１３１と、第２の外部接続装置２０２の第１通信部２３１とを接続する場合には、信号切替制御部１４０ａ１はＬレベル、信号切替制御部１４０ａ２は、Ｈレベルの信号を出力する。
【００５９】
撮像装置１００の第３通信部１３３と、第２の外部接続装置２０２の第３通信部２３３とを接続する場合には、信号切替制御部１４０ａ１はＨレベル、信号切替制御部１４０ａ２は、Ｈレベルの信号を出力する。
【００６０】
なお、第１の外部接続装置及び第２の外部接続装置としては、音声入力装置や閃光装置のほか、ハイレゾオーディオ伝送に対応したＢｌｕｅｔｏｏｔｈ（登録商標）やマルチチャネル対応のネットワークオーディオ、高速パケット通信など次世代の高速通信機器を適用することができる。
【００６１】
なお、上述の実施の形態は、本開示における技術を例示するためのものであるから、特許請求の範囲またはその均等の範囲において種々の変更、置き換え、付加、省略などを行うことができる。
【産業上の利用可能性】
【００６２】
本開示は、アクセサリーシューを備えた撮像装置に適用することが可能である。
【符号の説明】
【００６３】
１００  撮像装置
１１０  電源供給部
１１３〜１１７  シュー端子
１２０  音声通信部
１２０ａ〜ｃ  音声通信部の端子
１３０  制御通信部
１３０ａ〜ｄ  制御通信部の端子
１３１〜１３３  通信部
１４０  信号切替制御部
１５０  信号切替部
２００  音声入力装置
２０１、２０２  外部接続装置
２０５〜２０９  シュー接続端子
２１０  電源制御部
２２０  音声通信部
２２０ａ〜ｃ  音声通信部の端子
２３０  制御通信部
２３０ａ〜ｃ  制御通信部の端子
２３１〜２３３  通信部
２４０  信号切替制御部
２５０  信号切替部
３００  閃光装置
３０５〜３０９  シュー接続端子
３１０  電源制御部
３３０  制御通信部
【図１】
2017122862.tif 000003
【図２】
2017122862.tif 000004
【図３】
2017122862.tif 000005
【図４】
2017122862.tif 000006
【図５】
2017122862.tif 000007
【図６】
2017122862.tif 000008
【図７】
2017122862.tif 000009
【図８】
2017122862.tif 000010